【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
光源の点滅により感情を擬似的に表現するロボット玩具であって、
前記ロボット玩具の頭部前面に配置された、一つの第１の光源と、前記第１の光源を中心としてその周囲に略等間隔に配置された少なくとも５つの第２の光源と、前記光源を覆い光源が点灯したとき当該光源の発光を外部から認識し得る半透明材料で形成されたカバーとを備えた光源群と、
前記光源群の点滅を制御する制御手段と、
を備え、
前記制御手段は、外部からの入力に応答して前記５つ以上の第２の光源が時計回りにあるいは反時計回りに順次点灯し消灯する発光パターンを含む複数の発光パターンを実現する制御を行うように構成されてなる
ことを特徴とするロボット玩具。
【請求項２】
感情を定義する少なくとも２種類の感情パラメータを記憶するメモリを備え、
前記制御手段は、外部からの操作入力に基づいて前記感情パラメータの値を増減させ、前記感情パラメータの増減に対応した発光パターンで前記第１及び又は前記第２の光源の発光を制御する
ことを特徴とする請求項１に記載のロボット玩具。
【請求項３】
前記制御手段は、前記感情パラメータの値によって決定される感情の度合いに応じて、当該度合いが大きいほど速い周期で前記第１及び又は第２の光源を点滅させる
ことを特徴とする請求項２に記載のロボット玩具。
【請求項４】
少なくとも前記第１の光源は、２色の光を同時に又は個別に発光可能に構成されており、
前記制御手段は、各前記感情パラメータの値の組み合わせによって決定される前記感情の種類に応じた色で前記第１及び又は前記第２の光源を点滅させる
ことを特徴とする請求項２に記載のロボット玩具。
【請求項５】
前記第１の光源は、前記第２の光源が別個に発光可能な色の数よりも多い数の色を発光可能である
ことを特徴とする請求項１乃至４のいずれかに記載のロボット玩具。
【請求項６】
前記制御手段は、
各前記感情パラメータの値の組み合わせによって決定される前記感情の種類が予め定められた所定種類に該当するときには、前記第１の光源を、前記第２の光源が発光できない所定色で発光させる
ことを特徴とする請求項２乃至４のいずれかに記載のロボット玩具。
【請求項７】
前記ロボット玩具は、２つ以上の操作入力スイッチを有し、
前記制御手段は、前記操作入力スイッチのそれぞれの操作入力に対応して、前記感情パラメータの値をそれぞれ増加させ、所定時間の操作入力がない場合に、前記感情パラメータの値を減少させる
ことを特徴とする請求項２乃至４のいずれかに記載のロボット玩具。
【請求項８】
胴体部と、該胴体部の前部に該胴体部に対し可動可能に配置された頭部と、前記胴体部の前部に配置された一対の前足部とを備えたロボット玩具であって、
前記頭部は、略平坦な半透明のカバーを含む前面部と、該前面部の内部に配置された複数の光源部とを備え、前記複数の光源部は一つの第１光源部と該第１の光源部を囲んでその周囲に略均等間隔に環状に配置された少なくとも５つの第２光源部とを含み、前記複数の光源部は互いに点灯光が混じらないように配置されており、前記半透明カバーは非点灯の前記光源部が外部から認識されず、点灯した前記光源部からの光を外部から認識できる構成となっており、前記ロボット玩具はさらに、ユーザの操作に応答して作動するスイッチと、該スイッチからの信号に応答して前記複数の光源部の点灯を制御する制御部とを備え、
前記制御部は、前記複数の第２光源部を時計回りあるいは反時計回りに順次点灯し消灯させる発光パターンを含む発光パターンで前記光源部の点灯、消灯を制御するように構成されてなるロボット玩具。
【請求項９】
前記第１光源部は発光色の異なる少なくとも２つの光源を含み、前記発光パターンは、さらに、前記第１光源部のいずれか一方を発光させる発光パターンと、前記少なくとも２つの光源を同時に発光させる発光パターンとを含むように構成されてなる請求項８記載のロボット玩具。
【請求項１０】
前記頭部の前面部は丸みを帯びた縦長の直方体形状に形成されている請求項８記載のロボット玩具。
【請求項１１】
前記スイッチは、前記頭部の上面部および前記前面部において前記複数の光源部が配置された位置の下側に配置されている請求項８記載のロボット玩具。
【請求項１２】
前記胴体部の後部に尻尾スイッチがさらに設けられている請求項８記載のロボット玩具。
【請求項１３】
前記第１光源部は発光色の異なる３つの光源を含み、前記前記複数の第１光源部はそれぞれ発光色の異なる２つの光源を含む請求項８記載のロボット玩具。
【請求項１４】
胴体部と、該胴体部の前部に該胴体部に対し回動可能に配置された頭部と、前記胴体部の前部に配置された一対の前足部と、前記胴体部の後部に配置された一対の後足部とを備え動物が座った状態を模した外観形状に構成されており、前記頭部は丸みを帯び平たく胴体部より幅広に構成された直方体縦長形状の前面部を備えており、さらにサウンドアンプ部およびスピーカを内蔵しており、前記前面部に表示部が設けられており前記表示部には前記スピーカから出力される音声に対応して表示が行われるように構成された動物形状の音楽出力玩具。
【手続補正２】
【補正対象書類名】明細書
【補正対象項目名】発明の名称
【補正方法】変更
【補正の内容】
【発明の名称】ロボット玩具及び音楽出力玩具
【手続補正３】
【補正対象書類名】明細書
【補正対象項目名】０００１
【補正方法】変更
【補正の内容】
【０００１】
本発明はロボット玩具及び音楽出力玩具に係り、特に安価なロボット玩具に適用できる。
【手続補正４】
【補正対象書類名】明細書
【補正対象項目名】０００７
【補正方法】変更
【補正の内容】
【０００７】
本発明はこのような問題に鑑みてなされたものであり、安価に構築しながら感情表現を効果的に行い得るロボット玩具及び音楽出力玩具を提供することを目的とするものである。
【手続補正５】
【補正対象書類名】明細書
【補正対象項目名】０００８
【補正方法】変更
【補正の内容】
【０００８】
上記の課題を解決するため、本発明においては、光源の点滅により感情を擬似的に表現するロボット玩具であって、前記ロボット玩具の頭部前面に配置された、一つの第１の光源と、前記第１の光源を中心としてその周囲に略等間隔に配置された少なくとも５つの第２の光源と、前記光源を覆い光源が点灯したとき当該光源の発光を外部から認識し得る半透明材料で形成されたカバーとを備えた光源群と、前記光源群の点滅を制御する制御手段と、を備え、前記制御手段は、外部からの入力に応答して前記５つ以上の第２の光源が時計回りにあるいは反時計回りに順次点灯し消灯する発光パターンを含む複数の発光パターンを実現する制御を行うように構成されてなることを特徴とする。
また本発明においては、胴体部と、該胴体部の前部に該胴体部に対し可動可能に配置された頭部と、前記胴体部の前部に配置された一対の前足部とを備えたロボット玩具であって、前記頭部は、略平坦な半透明のカバーを含む前面部と、該前面部の内部に配置された複数の光源部とを備え、前記複数の光源部は一つの第１光源部と該第１の光源部を囲んでその周囲に略均等間隔に環状に配置された少なくとも５つの第２光源部とを含み、前記複数の光源部は互いに点灯光が混じらないように配置されており、前記半透明カバーは非点灯の前記光源部が外部から認識されず、点灯した前記光源部からの光を外部から認識できる構成となっており、前記ロボット玩具はさらに、ユーザの操作に応答して作動するスイッチと、該スイッチからの信号に応答して前記複数の光源部の点灯を制御する制御部とを備え、前記制御部は、前記複数の第２光源部を時計回りあるいは反時計回りに順次点灯し消灯させる発光パターンを含む発光パターンで前記光源部の点灯、消灯を制御するように構成されてなることを特徴とする。
さらに本発明においては、動物形状の音楽出力玩具において、胴体部と、該胴体部の前部に該胴体部に対し回動可能に配置された頭部と、前記胴体部の前部に配置された一対の前足部と、前記胴体部の後部に配置された一対の後足部とを備え動物が座った状態を模した外観形状に構成されており、前記頭部は丸みを帯び平たく胴体部より幅広に構成された直方体縦長形状の前面部を備えており、さらにサウンドアンプ部およびスピーカを内蔵しており、前記前面部に表示部が設けられており前記表示部には前記スピーカから出力される音声に対応して表示が行われるように構成するようにした。